(57)【要約】【課題】  表示情報の視認性を向上することが可能な複合表示式の電子機器及びその制御方法を提供する。【解決手段】  分針２２及び時針２３の位置を検出し、分針２２及び時針２３の位置が日表示Ｄに重なる直前位置に位置すると、日表示Ｄの位置を、分針２２及び時針２３と重ならない位置に変更するようにした。この場合、日表示Ｄの表示位置を分針２２及び時針２３の直後の位置に変更することにより、分針２２及び時針２３が日表示Ｄの直前位置になるまでの時間を長くするようにした。【選択図】      図１１
2007057292.tif 000002
【特許請求の範囲】
【請求項１】
表示保持性を有する表示パネルと、この表示パネルの表示領域上で駆動されるアナログ指針とを備える電子機器において、
前記表示パネルに表示される表示情報を、前記アナログ指針の位置に応じて、前記アナログ指針によって前記表示情報の視認性が低下しない表示態様に変更することを特徴とする電子機器。
【請求項２】
前記アナログ指針の位置を検出する位置検出手段を備え、前記アナログ指針の位置が前記表示情報の近傍の場合に、前記表示情報の表示態様を変更することを特徴とする請求項１に記載の電子機器。
【請求項３】
前記表示情報の位置を、前記アナログ指針と重ならない位置に変更することを特徴とする請求項１又は２に記載の電子機器。
【請求項４】
前記表示情報の縮尺を、前記アナログ指針と重ならない縮尺、或いは、前記アナログ指針と重なっても視認可能な縮尺に変更することを特徴とする請求項１又は２に記載の電子機器。
【請求項５】
前記表示情報の表示位置を固定する表示固定モードを有し、この表示固定モードの場合、外部からの指示に応じて、前記アナログ指針を前記表示情報と重ならない位置に移動することを特徴とする請求項１乃至４のいずれかに記載の電子機器。
【請求項６】
前記表示パネルは、電気泳動表示パネルであることを特徴とする請求項１乃至５のいずれかに記載の電子機器。
【請求項７】
前記電子機器は、前記アナログ指針により時刻を表示する時計として構成されていることを特徴とする請求項１乃至６のいずれかに記載の電子機器。
【請求項８】
表示保持性を有する表示パネルと、この表示パネルの表示領域上で駆動されるアナログ指針とを備える電子機器の制御方法において、
前記表示パネルに表示される表示情報を、前記アナログ指針の位置に応じて、前記アナログ指針によって前記表示情報の視認性が低下しない表示態様に変更することを特徴とする電子機器の制御方法。
【発明の詳細な説明】
【技術分野】
【０００１】
本発明は、表示パネルとこの表示パネルの表示領域上で駆動されるアナログ指針とを備える電子機器及びその制御方法に関する。
【背景技術】
【０００２】
従来より、デジタル表示式（液晶表示式）の表示パネル上でアナログ指針を運針させる複合表示式時計が知られている。この種の時計には、表示パネルにキャラクタ又は時字等を表示し、この表示を変化させるものがある（例えば、特許文献１参照）。
また、近年、液体中に分散した帯電粒子が電界印可により泳動する現象、つまり、電気泳動現象を利用した電気泳動表示パネルを適用した電子機器が提案されている（例えば、特許文献２参照）。この種の表示パネルは、電力非供給時でも表示内容を保持する表示保持性（メモリー性）を有するため、被駆動時であっても情報を表示し続けることができる。
【特許文献１】特開昭６３−６６４８６号公報
【特許文献２】特開２００１−３２４７２８号公報
【発明の開示】
【発明が解決しようとする課題】
【０００３】
しかしながら、従来の複合表示式時計では、アナログ指針と表示パネルの表示情報とが重なってしまい、表示情報の視認性が低下してしまう場合があった。
【０００４】
本発明は、上述した事情に鑑みてなされたものであり、表示情報の視認性を向上することが可能な複合表示式の電子機器及びその制御方法を提供することにある。
【課題を解決するための手段】
【０００５】
上述課題を解決するため、本発明は、表示保持性を有する表示パネルと、この表示パネルの表示領域上で駆動されるアナログ指針とを備える電子機器において、前記表示パネルに表示される表示情報を、前記アナログ指針の位置に応じて、前記アナログ指針によって前記表示情報の視認性が低下しない表示態様に変更することを特徴とする。
この発明によれば、表示パネルに表示される表示情報を、アナログ指針の位置に応じて、アナログ指針によって表示情報の視認性が低下しない表示態様に変更するので、表示情報の視認性を向上することができる。
【０００６】
上記構成において、前記アナログ指針の位置を検出する位置検出手段を備え、前記アナログ指針の位置が前記表示情報の近傍の場合に、前記表示情報の表示態様を変更することが好ましい。この構成によれば、表示情報の視認性を向上しつつその表示態様の変更頻度を低減することができる。
また、上記構成において、前記表示情報の位置を、前記アナログ指針と重ならない位置に変更するようにしてもよく、また、表示情報の縮尺を、前記アナログ指針と重ならない縮尺、或いは、前記アナログ指針と重なっても視認可能な縮尺に変更するようにしてもよい。この構成によれば、アナログ指針と表示情報とが重ならないので、表示情報の視認性を向上することが可能である。
【０００７】
また、上記構成において、前記表示情報の表示位置を固定する表示固定モードを有し、この表示固定モードの場合、外部からの指示に応じて、前記アナログ指針を前記表示情報と重ならない位置に移動するようにしてもよい。この構成によれば、表示情報の表示位置を固定しつつ表示情報の視認性を確保することができる。また、上記各構成において、前記表示パネルに電気泳動表示パネルを適用してもよい。
【０００８】
また、本発明は、表示保持性を有する表示パネルと、この表示パネルの表示領域上で駆動されるアナログ指針とを備える電子機器の制御方法において、前記表示パネルに表示される表示情報を、前記アナログ指針の位置に応じて、前記アナログ指針によって前記表示情報の視認性が低下しない表示態様に変更することを特徴とする。この発明によれば、表示パネルに表示される表示情報を、アナログ指針の位置に応じて、アナログ指針によって表示情報の視認性が低下しない表示態様に変更するので、表示情報の視認性を向上することができる。
【発明の効果】
【０００９】
本発明は、表示パネルに表示される表示情報を、アナログ指針の位置に応じて、アナログ指針によって表示情報の視認性が低下しない表示態様に変更するので、表示情報の視認性を向上することができる。
【発明を実施するための最良の形態】
【００１０】
以下、図面を参照して本発明の実施形態を詳述する。
（第１実施形態）
図１は、本発明の第１実施形態に係る腕時計１の正面図であり、図２はこの腕時計１の側断面図である。この腕時計１は、時計ケース２と、この時計ケース２に連結された一対のバンド３とを備えている。時計ケース２は、ステンレス等の金属材又はプラスチック樹脂等の樹脂材で形成され、その内部に、図２に示すように、ムーブメント４と、文字板を構成する表示パネル５とを収容する貫通孔２Ａが形成されている。
この時計ケース２の貫通孔２Ａの一端側（時計正面側）には、樹脂製又は金属製の圧入リング６を介して、ガラス製又は樹脂製の透明カバー７が圧入固定されている。また、貫通孔２Ａの他端側（時計裏側）には、パッキン８を介して裏蓋９が螺合され、この裏蓋９及び透明カバー７によって時計ケース２の内部の密封性が確保されている。
また、時計ケース２には、図１に示すように、操作子としての竜頭１０と操作ボタン１１とが設けられている。竜頭１０は、後述するようにムーブメント４の巻真３１に連結され、この巻真３１と一体となって多段階（本例では２段階）で押し引き自在、かつ、回転自在に設けられている。
【００１１】
ムーブメント４は、図３に示すように、秒針２１、分針２２及び時針２３が連結された運針機構２０を備え、この運針機構２０がこれらアナログ指針２１〜２３を回転駆動することにより、現在時刻を表示する時刻表示部として機能する。
詳述すると、この運針機構２０は、秒車２４、２番車２５及び筒車２６が互いに連動するように中間車２７、２８を介して連結された歯車輪列２９を有し、秒車２４の回転軸には、秒針２１の一端が取り付けられ、２番車２５の回転軸には、分針２２の一端が取り付けられ、また、筒車２６の回転軸には、時針２３の一端が取り付けられる。そして、秒車２４には、駆動モータ３０の駆動歯車３０Ａが噛み合い、この駆動モータ３０の回転によって秒車２４が回転駆動され、この回転が２番車２５及び筒車２６に伝達されて、秒針２１、分針２２及び時針２３の各々が回転駆動され、これら針２１〜２３によって時刻が表示される。
なお、図３においては、説明の便宜上、秒車２４、２番車２５及び筒車２６を離しているが、実際には、図１に示すように、これらは同軸上に配列されている。
【００１２】
また、上記竜頭１０は、図４に示すように、ムーブメント４の巻真３１と連結され、この巻真３１には、おしどり３２が係合している。このおしどり３２は、かんぬき３３と係合し、巻真３１の引き出し位置を決めると共に、スイッチレバー３４の一端３４Ａと連結されている。このスイッチレバー３４は、地板１００に回動軸３４Ｒを支点に回動自在に設けられ、巻真３１の押し引きに応じておしどり３２により回動させられ、巻真３１の引き出し位置に応じて回動位置が位置決めされる。
このスイッチレバー３４の他端３４Ｂには、接点部３４Ｘが設けられ、この接点部３４Ｘが、巻真１段目では回路基板に形成されたパターンＰ１と導通し、巻真２段目ではパターンＰ２と導通する。これらパターンＰ１、Ｐ２の導通／非導通は、後述する竜頭操作検出部５８により検出され、この竜頭操作検出部５８によって、竜頭１０が０段引きの位置（最も時計ケース２側に押し込んだ位置（図１に示す位置））か、１段引きの位置か、２段引きの位置かが検出される。
さらに、上記巻真３１には、つづみ車３１Ａが連結され、このつづみ車３１Ａは、かんぬき３３の作動により巻真２段目では時刻修正車１０１に噛み合う。これによって、巻真２段目では竜頭１０の回転に応じて時刻修正車１０１が回転し、この時刻修正車１０１の回転により分針２２及び時針２３が回転し、時刻が修正される。
【００１３】
また、ムーブメント４内には、巻真３１の回転量を検出する回転検出器（ロータリーエンコーダ）１１０が設けられている。この回転検出器１１０は、図５に示すように、巻真３１の周面に沿って略半円弧状に設けられた検出電極１１１Ａと、検出電極１１１Ａに向けて付勢された板ばね状のスイッチ電極１１２Ａとを有し、スイッチ電極１１２Ａが検出電極１１１Ａに接触している場合にオンとなる第１スイッチＳＷ１と、この第１スイッチＳＷ１と同様に、検出電極１１１Ｂとスイッチ電極１１２Ｂとを有し、スイッチ電極１１２Ｂが検出電極１１１Ｂに接触している場合にオンとなる第２スイッチＳＷ２とを有している。また、図６に示すように、検出電極１１１Ａ、１１１Ｂのそれぞれは巻真３１の中心Ｏを基準にして、約９０度ずらして配設されている。
【００１４】
従って、竜頭１０が回転された際、その回転方向が時計方向である場合には、図７に示すように、第１スイッチＳＷ１が第２スイッチＳＷ２よりも先行してオン状態（Ｈｉｇｈ状態）となり、これとは逆に、反時計方向である場合には、第２スイッチＳＷ２が第１スイッチＳＷ１よりも先にオン状態（Ｈｉｇｈ状態）となる。
上記各スイッチＳＷ１、ＳＷ２のオンオフは、竜頭操作検出部５８によって検出され、この竜頭操作検出部５８は、第１スイッチＳＷ１と第２スイッチＳＷ２のどちらか先行してオンになったか否かを検出することにより、竜頭１０の回転方向を検出し、かつ、各スイッチＳＷ１、ＳＷ２がオンになった回数をカウントすることで、竜頭１０の回転量を検出している。
【００１５】
表示パネル５は、図２に示すように、上記ムーブメント４の時計正面側に配設されている。この表示パネル５には、その中央に貫通孔５Ａが形成され、この貫通孔５Ａから、上記ムーブメント４の秒車２４、２番車２５及び筒車２６の各軸が突出し、この軸の先端に秒針２１、分針２２及び時針２３が取り付けられている。
この表示パネル５には、表示保持性を有する電気泳動表示パネルが適用され、暦（本例では「日」）が表示される。以下、この表示パネル５をセグメント表示パネルで構成した場合を説明する。
この表示パネル５は、図８に示すように、電気泳動層３５を挟んで対向配置された実装基板３６と透明基板３７とを備えている。実装基板３６には、その上面（透明基板３７側の面）にセグメント電極ＤＡが配置され、透明基板３７には、その下面（実装基板３６側の面）に、ＩＴＯ（Indium-Tin Oxide）蒸着等で形成された透明の共通電極ＤＢが設けられ、各電極ＤＡ、ＤＢには、表示駆動回路４０が接続されている。
【００１６】
上記電気泳動層３５は、複数のマイクロカプセル３８から構成され、これらマイクロカプセル３８には、電気泳動粒子３９が混合された電気泳動分散液４１が封入されている。この電気泳動粒子３９には、例えば、プラス極性に帯電した青粒子が適用され、電気泳動分散液４１が白色に着色されることにより、いわゆる１粒子系の電気泳動層が構成されている。
従って、表示駆動回路４０により共通電極ＤＢが０Ｖ電位（アース電位）とされると共に、所定の電極ＤＡにプラス電圧の駆動電圧が供給されてプラス電位とされた場合、セグメント電極ＤＡから共通電極ＤＢに向かう電界が発生し、マイクロカプセル３８内のプラスに帯電した電気泳動粒子（青粒子）３９が共通電極ＤＢ側に移動し、これに伴って、白色の電気泳動分散液４１がセグメント電極ＤＡ側に移動する。この結果、透明基板３７側から視認されるマイクロカプセル３８が青色を呈するため、セグメントが青を表示する。
【００１７】
これとは逆に、表示駆動回路４０により共通電極ＤＢがプラス電位とされると共に、所定のセグメント電極ＤＡが０Ｖ電位に保持された場合には、プラスに帯電した電気泳動粒子（青粒子）３９がセグメント電極ＤＡ側に移動し、これに伴って、白色の電気泳動分散液４１が共通電極ＤＢ側に移動するため、結果として、透明基板３７側から視認されるマイクロカプセル３８が白色を呈し、セグメントが白を表示する。また、共通電極ＤＢとセグメント電極ＤＡとの間に電位差を生じない場合には、電気泳動粒子（青粒子）３２の移動が生じないため、セグメントの表示色は変化せずに以前の状態が維持される。
なお、本実施の形態では、表示駆動回路４０が昇圧回路を内蔵し、電源から供給される電圧（例えば３Ｖや１．５Ｖ）を昇圧して＋１２Ｖの電圧を生成して、この＋１２Ｖの電圧、或いは、０Ｖの電圧を駆動電圧としてセグメント電極ＤＡ及び共通電極ＤＢに印可している。
【００１８】
図９は、腕時計１の電気的構成を示す図である。
発振回路５１は、振動子５２を発振させて例えば３２ｋＨｚの基準クロック信号ＣＬ０を出力し、分周回路５３は、基準クロック信号ＣＬ１を例えば１Ｈｚまで分周し、１Ｈｚのクロック信号ＣＬ１を制御回路５５に出力する。モータ駆動回路５４は、制御回路５５の制御の下、駆動モータ３０に駆動信号ＳＫを供給することにより、上記運針機構２０を駆動させ、秒針２１、分針２２及び時針２３を回転駆動させる。
【００１９】
制御回路５５は、この腕時計１全体を中枢的に制御するものであり、ＣＰＵ、ＲＯＭ、ＲＡＭ等を有し、ＣＰＵがＲＯＭに記憶された制御プログラムを実行することにより、腕時計１の各部を制御する。この制御回路５５は、ソフトウェア処理或いはハードウェア（カウンタ等）により、上記分周回路５３から出力された所定周波数の信号を計数して暦（時刻を計時してよい）を計時する計時手段を備え、暦を表示させる場合は、暦情報を画像メモリ５６に書き込むことによって、表示駆動回路４０により表示パネル５に暦情報を表示させる。
【００２０】
操作検出部５７は、操作ボタン１１の操作を検出して制御回路５５に通知するものであり、竜頭操作検出部５８は、竜頭１０の押し込み操作及び回転操作を検出し、検出結果を制御回路５５に通知するものである。ここで、本実施形態は、竜頭１０が０段引きの位置（最も時計ケース２側に押し込んだ位置（図１に示す位置））では、竜頭１０が空回りし、竜頭１０が１段引きの位置では、その位置での竜頭１０の回転量が竜頭操作検出部５８を介して制御回路５５に通知され、制御回路５５が、この回転量に応じて暦を修正する。なお、竜頭１０の回転量検出は、上記のような回転検出器１１０を用いる方法に代えて、竜頭１０の回転を光学的或いは電気的に検知する方法（無接点方式、接点方式）を用いてもよい。
また、竜頭１０が２段引きの位置では、竜頭１０の回転操作により運針機構２０の歯車輪列２９が駆動され、回転量に応じて時刻が修正される。この場合、竜頭１０により歯車輪列２９を直接駆動する手動方式に代えて、制御回路５５が、竜頭操作検出部５８から竜頭１０の回転量を取得し、この回転量に対応する分だけモータ駆動回路５４により駆動モータ３０を回転駆動させる電子修正方式を用いてもよい。
【００２１】
また、この腕時計１は、秒針２１、分針２２及び時針２３の位置を検出する針位置検出部５９を備えており、この針位置検出部５９により各アナログ指針２１〜２３の回転位置が制御回路５５に通知される。ここで、この針位置検出部５９の回転量検出は、回転検出器（ロータリーエンコーダ）を用いる方法（相対方式、絶対方式（時針２３の回転を８６４００又は４３２００分割、時針２３を２４分割又は１２分割、分針２２を６０分割、秒針２１を６０分割して回転位置を得る））、或いは、アナログ指針２１〜２３３の回転位置を光学的或いは電気的に検知する方法（無接点方式、接点方式）が用いられる。
ここで、図９において、波線で囲まれた複数の回路（制御回路５５、発振回路５１、分周回路５３及びモータ駆動回路５４）は、同一のＩＣ（Integrated Circuit）に構成されている。また、画像メモリ５６及び表示駆動回路４０についても同一のＩＣに構成してもよく、また、画像メモリ５６、表示駆動回路４０及び制御回路５５を同一のＩＣに構成してもよい。また、この腕時計１には、ボタン電池等の一次電池が内蔵され、この一次電池の電力により腕時計１が駆動される。
【００２２】
なお、針位置検出部５９は、回転検出器等を用いる構成に限らず、アナログ指針によって表示される時刻と同一の時刻を、内部カウンタを用いて計時（計数）し、この内部カウンタの値からアナログ指針の位置を検出する構成を採用してもよい。より具体的には、内部カウンタの時刻をアナログ指針によって表示される時刻と同一に設定するため、例えば竜頭１段目の状態で操作ボタン１１の操作（電子時刻修正操作）によりアナログ指針の位置を初期位置（例えば２４時）及び内部カウンタの値を上記初期位置に対応する初期値に設定し、その後、例えば竜頭２段目の状態で操作ボタン１１の操作（電子時刻修正操作）によりアナログ指針の位置を現在時刻の位置に設定し、この設定操作に従って内部カウンタの値をカウントアップ又はカウントダウンして現在時刻に対応する値にする。そして、竜頭０段目とされた時点から、内部カウンタのカウントアップと同期してアナログ指針を進めることにより、内部カウンタの時刻がアナログ指針の表示時刻と同一にすることができる。この構成によれば、検出器が不要となり、その分、部品点数の削減や腕時計１の小型化、薄型化等を図ることができる。
【００２３】
ところで、表示パネル５の３時位置に日表示Ｄを固定した場合、毎時間１５分前後になれば、分針２２が日表示Ｄに重なってしまい、また、３時前後の場合にも、時針２３が日表示Ｄに重なってしまい、日表示Ｄが見えづらくなってしまう。そこで、本実施形態では、制御回路５５が、分針２２及び時針２３に重ならないように日表示Ｄの位置を変更する暦表示変更処理を実行している。
図１０は暦表示変更処理を示すフローチャートである。この暦表示変更処理は所定の時間間隔で実行され、制御回路５５は、まず、針位置検出部５９により分針２２及び時針２３（アナログ指針）の位置を取得し（ステップＳ１）、分針２２及び時針２３が、日表示Ｄに対して針の駆動方向の反対側近傍に位置するか否か、つまり、日表示Ｄと重なる直前の位置（以下、直前位置という）か否かを判定する（ステップＳ２）。そして、分針２２及び時針２３が直前位置であると判定すると（ステップＳ２：YES）、制御回路５５は、日表示Ｄの位置を、予め定めた表示予定位置（本例では３時位置、６時位置、９時位置、１２時位置の４種類）のうち、分針２２及び時針２３の直後に相当する位置に変更させる処理を実行する（ステップＳ３）。
【００２４】
より具体的には、図１１（Ａ）に示すように、３時位置に日表示Ｄを行っている場合に、分針２２及び時針２３の位置が日表示Ｄに重なる直前位置（例えば２時１０分）に位置すると、制御回路５５は、図１１（Ｂ）に示すように、日表示Ｄの位置を、分針２２及び時針２３の直後の１２時位置に変更させる。続いて、時間が経過して、分針２２が日表示Ｄに重なる直前位置（例えば２時５５分）に位置すると、制御回路５５は、図１１（Ｃ）に示すように、制御回路５５により、日表示Ｄの位置を、分針２２及び時針２３の直後の表示予定位置である９時位置に変更する。さらに時間が経過して、分針２２が日表示Ｄに重なる直前位置（例えば３時４０分）に位置すると、制御回路５５は、図１１（Ｄ）に示すように、日表示Ｄの位置を、分針２２及び時針２３の直後の表示予定位置である６時位置に変更する。なお、上記図１１においては、秒針２１を省略して示している。
このようにして、日表示Ｄの表示位置を、分針２２及び時針２３の直後の位置に順次変更することにより、分針２２及び時針２３が日表示Ｄの直前位置になるまでの時間を長くすることができ（本実施形態では約４５分間隔）、日表示Ｄの位置の変更頻度を低減することができる。以上が暦表示変更処理の動作である。
【００２５】
以上説明したように、本実施形態によれば、分針２２及び時針２３の位置に連動させて、日表示Ｄの位置を、分針２２及び時針２３と重ならない位置に変更するので、日表示Ｄが分針２２及び時針２３と重なる場合を確実に回避することができ、日表示Ｄの視認性を向上することができる。しかも、分針２２及び時針２３の位置が日表示Ｄの直前位置になった場合に、日表示Ｄの位置を分針２２及び時針２３の直後の位置に変更するので、日表示Ｄの位置の変更頻度を低減することができる。
【００２６】
ここで、本実施形態では、表示パネル５に表示保持性を有する電気泳動表示パネルを使用するため、日表示Ｄを変更する場合にだけ、或いは、長時間同一画像を表示させて画像が劣化した時にだけ再描画すればよいため、保持性のない表示パネル（液晶表示パネル等）を使用する場合に比して、省電力化を図ることができ、しかも、本構成では、日表示Ｄの位置の変更頻度が低減するから、より省電力化を図ることができ、電池寿命を大幅に延ばすことが可能になる。
また、液晶表示パネルは偏光板が必要であるのに対し、電気泳動表示パネルは、偏光板等の光の透過量を減衰させ、かつ、視野角を狭めてしまう部品が必要ないため、同じ反射型に構成した場合でも明るくかつ視野角を広くすることができる。また、液晶表示パネルは描画の単位を受け持つ電極間のギャップのエッジに沿って画像が描画されるため、セグメント間に隙間が空いてしまうのに対し、電気泳動表示パネルは、マイクロカプセル３８がセグメント間の隙間に配置される等の理由により、セグメント間の隙間を埋めることができ、これらによっても、表示パネル５の視認性を向上させることが可能となる。
【００２７】
（第２実施形態）
第２実施形態に係る腕時計１は、分針２２及び時針２３の位置に連動させて日表示Ｄの縮尺を変更する暦表示変更処理を行う点を除いて、第１実施形態に係る腕時計１と同一である。以下、同一部分については同一の符号を付して説明を省略し、異なる部分を詳細に説明する。
【００２８】
図１２は、腕時計１の表示の変更例を示す図である。なお、この図においても、秒針２１は省略して示している。同図に示すように、制御回路５５は、日表示Ｄの基準表示位置を３時位置に設定し、図１２（Ａ）及び（Ｄ）に示すように、分針２２及び時針２３が基準表示位置と異なる位置、例えば、３時位置を中心とする６０度範囲外の場合には、日表示Ｄを予め設定した基準サイズで３時位置に表示する。
また、制御回路５５は、図１２（Ｂ）に示すように、分針２２又は時針２３が基準表示位置近傍に位置すると、日表示Ｄの表示サイズを、分針２２及び時針２３と重ならないサイズ（基準サイズより小さいサイズ）に縮小表示して３時位置に表示する。
また、制御回路５５は、図１２（Ｃ）に示すように、分針２２又は時針２３が基準表示位置に位置すると、日表示Ｄの表示サイズを、分針２２及び時針２３と重なっても視認可能なサイズ（基準サイズより大きいサイズ）、本例では、表示パネル５の表示領域全体に表示するサイズに拡大表示する。
【００２９】
このように、本実施形態によれば、分針２２及び時針２３の位置に応じて、日表示Ｄの縮尺を、分針２２及び時針２３と重ならない縮尺や、分針２２及び時針２３と重なっても視認可能な縮尺に変更するので、日表示Ｄが分針２２及び時針２３と重なってしまう場合を確実に回避することができる。しかも、日表示Ｄを継続的に３時位置（基準表示位置）に表示するので、ユーザが日表示Ｄを探す必要がなく、日表示Ｄの視認性を向上させることが可能となる。
【００３０】
上述した実施形態は、あくまで本発明の一態様に過ぎず、本発明の範囲内で任意に変形が可能である。例えば、上記各実施形態では、表示保持性を有する表示パネル５として、１粒子系の電気泳動表示パネルを適用する場合について例示したが、これに限らず、２粒子系等の電気泳動表示パネル、ツイストボール方式の表示パネル、エレクトロクロミック表示パネル、強誘電液晶パネル等の表示保持性を有する表示パネルを広く適用することが可能である。また、表示方式もセグメント方式に限らず、ドットマトリックス方式を適用してもよい。また、表示パネル５が文字板全体を構成する場合について例示したが、文字板の一部の領域のみを、例えば、日表示Ｄの表示予定領域のみを表示パネル５にしてもよく、アクティブ又はパッシブのマトリクス駆動と組み合わせてもよい。
また、この表示パネル５にカラーフィルタを組み合わせても良く、また、この表示パネル５には、剛性を有するリジッド表示パネル又は柔軟性を有するフレキシブル表示パネルのいずれを適用してもよい。
【００３１】
また、上記第１実施形態では、日表示Ｄの位置を、分針２２及び時針２３の直後の位置に変更する場合に変更する場合について述べたが、要は、日表示Ｄが分針２２及び時針２３と重ならない範囲で、日表示Ｄの位置を変更すればよい。また、上述の実施形態では、表示予定位置を３時位置、６時位置、９時位置、１２時位置の９０度間隔に設定する場合について例示したが、これに限らず、表示予定位置を、３時位置、６時位置及び９時位置等の不等間隔にしたり、３時位置、７時位置、１１時位置等の１２０度間隔にする等の変更が可能であり、表示パネル５にドットマトリックス方式を適用した場合は、表示予定位置を任意に設定してもよい。
【００３２】
また、上記各実施形態において、日表示Ｄの位置を固定位置（例えば３時位置）に固定する表示固定モードを設け、ユーザによりこの表示固定モードが選択された場合、図１３（Ａ）〜（Ｄ）に示すように、日表示Ｄの位置を固定位置（３時位置）に固定し、外部からの指示（例えば所定の操作ボタン１１の操作（ＳＷ操作））があった場合に、日表示Ｄと重なっている分針２２や時針２３を、日表示Ｄと重ならない待避位置に駆動させるようにしてもよい（図１３（Ｃ）参照）。この場合、所定期間経過後に、分針２２、時針２３を元の位置に復帰させる、或いは、外部からの復帰指示（例えば所定の操作ボタン１１の再操作）があった場合に、分針２２、時針２３を元の位置に復帰させるように構成すればよい（図１３（Ｄ）参照）。この構成によれば、日表示Ｄの位置を固定しつつ、日表示Ｄの視認性を確保することが可能となる。
【００３３】
また、上記各実施形態では、日表示Ｄの表示位置又は縮尺を変更する場合について述べたが、これに限らず、要は日表示Ｄの視認性がアナログ指針によって低下しないように表示態様を変更すればよく、その範囲で、日表示Ｄの色や濃淡等を変更する方法（例えば白黒反転）や日表示Ｄの形状を変更する等の変更方法を広く適用することが可能である。
また、上記各実施形態では、表示パネル５に暦の日を表示する場合について述べたが、これに限らず、年、月、曜日等の他の暦情報、アナログ指針２１〜２３が指し示す目盛り（時字を含む）、タイマー機能を具備する場合のタイマー設定値やカウント値、ストップウォッチ機能を具備する場合のスプリット値と計時値（値は数字や文字の場合と、針の形状を絵で描画する場合の両方を含む）、アラーム機能を具備する場合のアラーム設定時刻、仮想２４時針、月齢表示、バッテリー残量、方位、高度、水深、位置、温度、湿度、気圧、背景（キャラクタ表示も含む）や模様等の画像を表示するようにしてもよい。
【００３４】
さらに、上記各実施形態では、本発明を腕時計に適用する場合について述べたが、これに限らず、置時計、壁掛時計、柱時計、懐中時計等の各種時計に適用することができ、また、標準時刻を示す電波（例えばＪＪＹ）を受信して時刻を修正する電波時計にも適用することが可能である。また、本発明を、時計に限らず、表示パネルとアナログ指針とを備える複合表示方式の電子機器に広く適用してもよい。その場合に、重ならないように表示する表示対象として、例えば、車載用パネルメータであれば速度や回転数、測定器であれば測定対象名や単位等となる。
また、上記実施形態では、上記電子機器が一次電池の電力で駆動する場合について例示したが、これに限らず、二次電池又は商用電源で駆動可能に構成してもよい。二次電池を使用する場合、発電装置を設け、この発電装置の発電電力により二次電池を充電可能に構成してもよい。この発電装置には、例えば、時計内に回転錘を設け、この回転錘を、ユーザの腕振り等の運動エネルギーで旋回させて発電する自動巻式発電装置、上記回転錘を竜頭等で巻上可能なゼンマイの力で旋回させて発電するゼンマイ式発電装置、ある部位と他の部位との温度差（熱エネルギー）で発電する熱発電装置、又は、ソーラ発電装置等の発電装置を広く適用することが可能である。
【図面の簡単な説明】
【００３５】
【図１】本発明の第１実施形態に係る腕時計の正面図である。
【図２】腕時計の側断面図である。
【図３】腕時計の運針機構を示す図である。
【図４】腕時計のムーブメントの竜頭に関わる構成を示す図である。
【図５】竜頭の回転検出器の説明に供する図である。
【図６】竜頭の回転検出器の説明に供する図である。
【図７】回転検出器の説明に供する図である。
【図８】腕時計の表示パネルの構成を説明するための断面図である。
【図９】腕時計の電気的構成を示すブロック図である。
【図１０】暦表示変更処理を示すフローチャートである。
【図１１】暦表示変更処理の動作の説明に供する図である。
【図１２】暦表示変更処理の動作例を示す図である。
【図１３】第２実施形態に係る暦表示変更処理の動作例を示す図である。
【符号の説明】
【００３６】
１…腕時計（電子機器）、２…時計ケース、３…バンド、４…ムーブメント、５…表示パネル（電気泳動表示パネル）、１０…竜頭、１１…操作ボタン、２０…運針機構、２１…秒針、２２…分針、２３…時針、３０…駆動モータ、３５…電気泳動層、３６…実装基板、３７…透明基板、３８…マイクロカプセル、４０…表示駆動回路、５１…発振回路、５３…分周回路、５４…モータ駆動回路、５５…制御回路、５６…画像メモリ、５７…操作検出部、５８…竜頭操作検出部、５９…針位置検出部、Ｄ…日表示（表示情報）、ＤＡ…セグメント電極、ＤＢ…共通電極。
【図１】
2007057292.tif 000003
【図２】
2007057292.tif 000004
【図３】
2007057292.tif 000005
【図４】
2007057292.tif 000006
【図５】
2007057292.tif 000007
【図６】
2007057292.tif 000008
【図７】
2007057292.tif 000009
【図８】
2007057292.tif 000010
【図９】
2007057292.tif 000011
【図１０】
2007057292.tif 000012
【図１１】
2007057292.tif 000013
【図１２】
2007057292.tif 000014
【図１３】
2007057292.tif 000015